(57)【要約】【課題】ヒューズボックスや電気接続箱内に収納しても収納スペースを削減することができ、且つ、ヒューズボックスや電気接続箱等のボックスの設計効率をも良好にすることができるヒューズプラーを提供する。【解決手段】ヒューズプラー３は、先端部２０にヒューズ若しくはヒュージブルリンク１の側面に形成されるリブ部１２と係合可能な係合爪部２２を設けている。この係合爪部２２に連続するとともにヒューズ若しくはヒュージブルリンク１の側面及び上面１ａに沿って形成され、且つ、係合爪部２２と同じ若しくは広い幅を有して上面１ａと接触可能なヒュージブルリンク上面接触部２４を設けている。さらに、ヒュージブルリンク上面接触部２４に連続するとともに係合爪部２２から離れる方向に伸びる持ち手部２１を設けている。【選択図】図１
2013031898.tif 000002
【特許請求の範囲】
【請求項１】
先端部にヒューズ若しくはヒュージブルリンクの側面に形成されるリブ部と係合可能な係合爪部を設け、
該係合爪部に連続するとともに前記ヒューズ若しくはヒュージブルリンクの前記側面及び上面に沿って形成され、且つ、前記係合爪部と同じ若しくは広い幅を有して前記上面と接触可能な上面接触部を設け、
さらに、該上面接触部に連続するとともに前記係合爪部から離れる方向に伸びる持ち手部を設ける
ことを特徴とするヒューズプラー。
【請求項２】
請求項１に記載のヒューズプラーにおいて、
前記上面接触部を、前記ヒューズ若しくはヒュージブルリンクの前記上面の中央まで伸ばす
ことを特徴とするヒューズプラー。
【請求項３】
請求項１又は請求項２のいずれかに記載のヒューズプラーにおいて、
前記係合爪部を、前記上面接触部に対して平行に突設する
ことを特徴とするヒューズプラー。
【請求項４】
請求項１、請求項２又は請求項３のいずれかに記載のヒューズプラーにおいて、
前記持ち手部の中央を湾曲して形成し、且つ、前記持ち手部の表面に複数の滑り止め用凸部を設ける
ことを特徴とするヒューズプラー。
【発明の詳細な説明】
【技術分野】
【０００１】
本発明は、ヒューズやヒュージブルリンクの取り外し時に用いられるヒューズプラーに関する。
【背景技術】
【０００２】
従来、例えば自動車に搭載されるヒューズボックスや電気接続箱には、一般的なヒューズに加えて、カセットタイプのヒュージブルリンクが装着されている。上記ヒューズ及びヒュージブルリンクは、装着部に対して強い挟着力によって装着されている。このため、ヒューズ及びヒュージブルリンクを素手で装着部から取り外すことは、極めて困難である。
【０００３】
下記特許文献１には、ヒューズ及びヒュージブルリンクの取り外しを容易に行うことができるヒューズプラーが開示されている。ヒューズプラーは、一対の把持片を備えている。ヒューズプラーは、これらの把持片が左右対称形状をなし、互いに向かい合うように並列に配置されている。ヒューズプラーは、各把持片のほぼ中間部分が連結部材によって連結されている。ヒューズプラーには、各把持片の外側面に、第１のテーパ部及び第２のテーパ部が設けられている。ヒューズプラーは、それらテーパ面が設けられた箇所に滑り止め部が形成されている。ヒューズプラーは、各把持片の内側面における第１の端部に、第１の係合部としての爪部がそれぞれ形成されている。また、ヒューズプラーは、各把持片の内側面における第２の端部に、第２の係合部としての爪部が形成されている。
【先行技術文献】
【特許文献】
【０００４】
【特許文献１】特開２０００−３１７８５８号公報
【発明の概要】
【発明が解決しようとする課題】
【０００５】
ところで、上記従来技術にあっては、ヒューズ及びヒュージブルリンクの取り外し作業を容易にすることができるものの、次のような問題点を有している。すなわち、係るヒューズプラーは、通常、不使用時にはヒューズボックスや電気接続箱等のボックス内に収納されることになるが、この場合、収納スペースをかなりとってしまうという問題点を有している。係る問題点は、ヒューズボックスや電気接続箱等のボックスが所定の規格で設計されるところ、ヒューズプラーを収納するボックスをヒューズプラーの大きさに合わせて変更しなければならない場合があり、ボックスの設計にも影響を来すこととなる。
【０００６】
本発明は、上記した事情に鑑みてなされたもので、ヒューズボックスや電気接続箱内に収納しても収納スペースを削減することができ、且つ、ヒューズボックスや電気接続箱等のボックスの設計効率をも良好にすることができるヒューズプラーを提供することを課題とする。
【課題を解決するための手段】
【０００７】
上記課題を解決するためになされた請求項１記載の本発明のヒューズプラーは、先端部にヒューズ若しくはヒュージブルリンクの側面に形成されるリブ部と係合可能な係合爪部を設け、該係合爪部に連続するとともに前記ヒューズ若しくはヒュージブルリンクの前記側面及び上面に沿って形成され、且つ、前記係合爪部と同じ若しくは広い幅を有して前記上面と接触可能な上面接触部を設け、さらに、該上面接触部に連続するとともに前記係合爪部から離れる方向に伸びる持ち手部を設けることを特徴とする。
【０００８】
このような特徴を有する本発明によれば、ヒューズプラーは、ヒューズ若しくはヒュージブルリンクの側面に形成されるリブ部に係合可能な係合爪部と、ヒューズ若しくはヒュージブルリンクの上面と接触可能な上面接触部と、ヒューズ若しくはヒュージブルリンクの引き抜きの際に、手で持つ持ち手部とを備えることにより、ヒューズ若しくはヒュージブルリンクの側面に係合爪部を係合させ、持ち手部を手で持って引き上げると上面接触部がヒューズ若しくはヒュージブルリンクの上面に接触し、ヒューズ若しくはヒュージブルリンクが引き抜かれる。上面接触部は、係合爪部と同じ若しくは広い幅に形成されることから、引き抜きの際のヒューズ又はヒュージブルリンクの状態は安定するようになる。
【０００９】
請求項２記載の本発明のヒューズプラーは、請求項１に記載のヒューズプラーにおいて、前記上面接触部を、前記ヒューズ若しくはヒュージブルリンクの前記上面の中央まで伸ばすことを特徴とする。
【００１０】
このような特徴を有する本発明によれば、ヒューズプラーによるヒューズ若しくはヒュージブルリンクの引き抜きの際に、上面接触部がヒューズ若しくはヒュージブルリンクの上面の中央までの範囲で接触するようになる。
【００１１】
請求項３記載の本発明のヒューズプラーは、請求項１又は請求項２のいずれかに記載のヒューズプラーにおいて、前記係合爪部を、前記上面接触部に対して平行に突設することを特徴とする。
【００１２】
このような特徴を有する本発明によれば、ヒューズプラーの係合爪部をヒューズ若しくはヒュージブルリンクの側面に形成されるリブ部に係合させると、係合爪部は上面接触部と平行に突設することから、ヒューズ若しくはヒュージブルリンクの引き抜きの際に、確実にヒューズ若しくはヒュージブルリンクの上面に上面接触部が接触するようになる。
【００１３】
請求項４記載の本発明のヒューズプラーは、請求項１、請求項２又は請求項３のいずれかに記載のヒューズプラーにおいて、前記持ち手部の中央を湾曲して形成し、且つ、前記持ち手部の表面に複数の滑り止め用凸部を設けることを特徴とする。
【００１４】
このような特徴を有する本発明によれば、持ち手部には、ヒューズ若しくはヒュージブルリンクの引き抜きの際に、手で持つことを考慮して中央を湾曲して形成し、且つ、持ち手部の表面に複数の滑り止め用凸部が設けられる。
【発明の効果】
【００１５】
請求項１に記載された本発明によれば、従来のようにヒューズ若しくはヒュージブルリンクをそれらの両側面から挟持して引き抜く必要が無く、ヒューズプラーの構成を簡素化できることから、ヒューズプラーの収納スペースを削減できるという効果を奏する。また、ヒューズプラーの大きさに合わせてヒューズボックスや電気接続箱等のボックスの大きさを変更する必要がなく、ボックスの設計効率を良好にすることができるという効果を奏する。
【００１６】
請求項２に記載された本発明によれば、ヒューズ若しくはヒュージブルリンクの引き抜きの際に、ヒューズプラーの上面接触部がヒューズ若しくはヒュージブルリンクの上面の中央までの範囲で接触するようになることから、ヒューズ若しくはヒュージブルリンクの引き抜き作業が安定するという効果を奏する。
【００１７】
請求項３に記載された本発明によれば、ヒューズ若しくはヒュージブルリンクの引き抜きの際に、確実にヒューズ若しくはヒュージブルリンクの上面にヒューズプラーの上面接触部が接触するようになることから、ヒューズ若しくはヒュージブルリンクの引き抜き作業がより安定するという効果を奏する。
【００１８】
請求項４に記載された本発明によれば、持ち手部を手で持つ際に手が滑ることが抑えられ、また、持ち易くなることから、ヒューズ若しくはヒュージブルリンクの引き抜き作業がより安定するという効果を奏する。
【図面の簡単な説明】
【００１９】
【図１】本発明をヒューズプラーに具体化した一実施形態と該ヒューズプラーを用いて引き抜かれるヒュージブルリンク及び該ヒュージブルリンクが装着されるキャビティの斜視図。
【図２】ヒュージブルリンクの斜視図と、右側面図と、正面図と、左側面図。
【図３】キャビティの斜視図。
【図４】ヒューズプラーの正面の斜視図。
【図５】ヒューズプラーの平面図と、正面図と、側面図と、背面図と、底面図。
【図６】ヒュージブルリンクがキャビティに装着された状態を示す斜視図及びキャビティからヒュージブルリンクを引き抜く直前の状態を示す平面図。
【発明を実施するための形態】
【００２０】
以下、図面を参照しながら実施例１を説明する。図１の（ａ）は、本発明のヒューズプラーを用いてヒュージブルリンクの引き抜きを行う状態を示した正面からの斜視図である。（ｂ）は、ヒューズプラーを用いてヒュージブルリンクの引き抜きを行う状態を示した背面からの斜視図である。また、図２の（ａ）は、ヒュージブルリンクの正面からの斜視図である。（ｂ）は、ヒュージブルリンクの背面からの斜視図である。（ｃ）は、ヒュージブルリンクの右側面図である。（ｄ）は、ヒュージブルリンクの正面図である。（ｅ）は、ヒュージブルリンクの左側面図である。図３の（ａ）は、キャビティの正面からの斜視図である。（ｂ）は、キャビティの背面からの斜視図である。図４の（ａ）は、ヒューズプラーの正面からの斜視図である。（ｂ）は、ヒューズプラーの背面からの斜視図である。図５の（ａ）は、ヒューズプラーの平面図である。（ｂ）は、ヒューズプラーの正面図である。（ｃ）は、ヒューズプラーの側面図である。（ｄ）は、ヒューズプラーの背面図である。（ｅ）は、ヒューズプラーの底面図である。図６の（ａ）は、ヒュージブルリンクがキャビティに装着された状態を示す斜視図である。（ｂ）はキャビティからヒュージブルリンクを引き抜く直前の状態を示す平面図である。
【００２１】
以下の説明において、具体的な形状、材料、数値、方向等は、本発明の理解を容易にするための例示であって、用途、目的、仕様等に合わせて適宜変更することができるものとする。
【００２２】
図１において、引用符号１は、ヒュージブルリンク（例示であるものとする。本実施例では、カートリッジ型ヒュージブルリンクを用いているが、これに限定されるものではなく、ヒューズであってもよいものとする）を示している。このヒュージブルリンク１はキャビティ２に装着されている。ヒュージブルリンク１は、例えばメンテナンス等の際、本発明のヒューズプラー３により引き抜くことができるようになっている。以下、ヒュージブルリンク１、キャビティ２及びヒューズプラー３の各構成について説明する。
【００２３】
ヒュージブルリンク１は、図２に示す如く、略直方体形状を有し、上面１ａと、正面１ｂと、背面１ｃと、左側面１ｄと、右側面１ｅと、底面（図示せず）とからなる。上面１ａは、平坦な面を有する。ヒュージブルリンク１は、ハウジング４と、このハウジング４に係合されるカバー部材５とからなる。ハウジング４内には、ヒューズエレメント（図示せず）が収納される。
【００２４】
ハウジング４は、ハウジング本体６を有し、このハウジング本体６は、開口部７と、フランジ部８と、係止凸部９と、ヒュージブルリンク側ガイド凸部１０及びヒュージブルリンク側ガイド凹部１１と、リブ部１２とからなる。ハウジング本体６の上部は、開口部７として開口形成される。
【００２５】
フランジ部８は、ヒュージブルリンク１の左側面１ｄ及び右側面１ｅの上端部に設けられる。また、これらのフランジ部８に連続して正面１ｂ及び背面１ｃの上端部にもフランジ部８が設けられる。正面１ｂ及び背面１ｃの上端部におけるフランジ部８は中央において切り欠かれる。この切り欠かれた部分の中央には、図２（ａ），（ｂ）に示す如く、後述するカバー部材５の係止凹部１４に係止する係止凸部９が設けられる。
【００２６】
ヒュージブルリンク側ガイド凸部１０及びヒュージブルリンク側ガイド凹部１１は、図２（ｃ），（ｅ）に示す如く、フランジ部８の中央からヒュージブルリンク１の左側面１ｄ及び右側面１ｅの各下端部にかけて形成される。ヒュージブルリンク側ガイド凸部１０は、二本形成され、フランジ部８より若干高く突設される。ヒュージブルリンク側ガイド凹部１１は、二本のヒュージブルリンク側ガイド凸部１０を並列に突設させることにより形成される。ヒュージブルリンク側ガイド凸部１０の下端には、テーパ部１３が設けられる。このようにテーパ部１３が形成されることによって、後述するヒュージブルリンク１のキャビティ２に対する装着の際、装着がスムーズに行われる。
【００２７】
リブ部１２は、図２に示す如く、ヒュージブルリンク１の左側面１ｄ及び右側面１ｅの上端部に設けられたフランジ部８において、二本のヒュージブルリンク側ガイド凸部１０の上端に連続して形成される。リブ部１２は、ヒュージブルリンク側ガイド凸部１０と同等の高さでフランジ部８から突設される。リブ部１２は、リブ部上端１２ａと、リブ部側面１２ｂと、リブ部下端１２ｃとを有する。リブ部上端１２ａは、フランジ部８の上端と連続して形成されており、リブ部上端１２ａとフランジ部８の上端とは、平坦に形成されている。リブ部下端１２ｃは、リブ部上端１２ａ及びフランジ部８の上端と平行に形成される。リブ部下端１２ｃは、後述するヒューズプラー３の係合爪部２３に形成されるリブ部下端係合部２３ａが係合される部分となっている。
【００２８】
カバー部材５は、図２（ａ），（ｂ）に示す如く、ハウジング６の開口部７に対して着脱自在に成形される。カバー部材５は、メンテナンス等の際に、ハウジング６内のヒューズエレメントの溶融の有無等の確認を可能とするため、透明な素材で成形される。カバー部材５には、係止凸部９に係止される係止凹部１４が形成される。
【００２９】
係止凹部１４は、上記フランジ部８の中央において切り欠かれた部分と係合する大きさで、且つ、舌状の形状に形成される。係止凹部１４は、上記フランジ部の中央において切り欠かれた部分に収まる大きさに形成される。係止凹部１４には係止凸部９が係合される。
【００３０】
キャビティ２は、図３に示す如く、略直方体に形成された略箱体の形状を有し、正面２ａと、背面２ｂと、左側面２ｃと、右側面２ｄとからなる。キャビティ２の上面及び底面（図示せず）は、それぞれ、上面開口部１５及び底面開口部（図示せず）として開口形成される。上面開口部１５は、フランジ部８が嵌合する大きさに形成される。また、底面開口部はハウジング本体６が嵌合する大きさに形成される。キャビティ２の内側は、上面開口部１５から底面開口部まで貫通され、ヒュージブルリンク１の挿抜を可能とするヒュージブルリンク装着部１６として形成される。
【００３１】
キャビティ２は、図３に示す如く、左側面２ｃ及び右側面２ｄの上端部の中央に、略コ字状の切り欠き部１７が形成される。切り欠き部１７の幅は、リブ部１２（図２参照）の幅と同等若しくはこれより若干広く形成される。
【００３２】
ヒュージブルリンク装着部１６は、フランジ部嵌合部１６ａと、ハウジング本体嵌合部１６ｂとからなる。フランジ部嵌合部１６ａは、上部開口部１５から切り欠き部１７の中間の位置までの高さに形成される。フランジ部嵌合部１６ａは、フランジ部８の側面及び下端と接触する部分が形成される。ハウジング本体嵌合部１６ｂは、切り欠き部１７の中間の位置から底面開口部までの高さに形成される。
【００３３】
ハウジング本体嵌合部１６ｂにおける左側面２ｃ及び右側面２ｄの内側には、切り欠き部１７の下端からキャビティ２の下端の中央にかけて、キャビティ側ガイド凸部１８及び二本のキャビティ側ガイド凹部１９が形成される。キャビティ側ガイド凸部１８は二本のキャビティ側ガイド凹部１９に挟まれて形成される。キャビティ側ガイド凸部１８は、ヒュージブルリンク側ガイド凹部１１が係合されるように形成される。二本のキャビティ側ガイド凹部１９は、ヒュージブルリンク側ガイド凸部１０が係合されるように形成される。
【００３４】
ヒュージブルリンク１のキャビティ２に対する装着は、先ず、二つのヒュージブルリンク側ガイド凸部１０と二つのキャビティ側ガイド凹部１９とが係合され、且つ、ヒュージブルリンク側ガイド凹部１１とキャビティ側ガイド凸部１８とが係合されることにより、ヒュージブルリンク１のキャビティ２に対する挿入の向きが規制され、挿入が開始される。
【００３５】
そして、ヒュージブルリンク１を上部からキャビティ２のヒュージブルリンク装着部１６に押し込み、ヒュージブルリンク１の上面１ａがキャビティ２の上面開口部１５の上端部と同じ位置に来るまで挿入することで、ヒュージブルリンク１のキャビティ２に対する装着は完了する。
【００３６】
ヒュージブルリンク１がキャビティ２に装着されると、図６（ａ）に示す如く、キャビティ２に形成される切り欠き部１７から、ヒュージブルリンク１のリブ部１２及びヒュージブルリンク側ガイド凸部１０と、ヒュージブルリンク側ガイド凹部１１のそれぞれの上端の一部が露出される。
【００３７】
ヒューズプラー３は、合成樹脂を射出成形することによって形成されており、図１、図４及び図５に示す如く、先端部２０と、持ち手部２１と、把持部２５とからなる。
【００３８】
先端部２０は、ヒュージブルリンク１の側面及び上面１ａに沿って略鉤状に形成される。先端部２０は、係合爪部２２と、リブ部側面接触部２３と、ヒュージブルリンク上面接触部２４とを有する。
【００３９】
係合爪部２２は、先端部２０のヒュージブルリンク１の側面に沿って形成される部分の下端に突設され、リブ部下端係合部２２ａと、ヒュージブルリンク側面接触部２２ｂと、テーパ部２２ｃとを有する。
【００４０】
リブ部下端係合部２２ａは、後述するヒュージブルリンク上面接触部２４と平行に設けられる。リブ部下端係合部２２ａは、リブ部１２のリブ部下端１２ｃ（図２参照）と同等の幅をもって形成される。このように形成することにより、ヒューズプラー３によってヒュージブルリンク１をキャビティ２から引き抜く際に、安定して引き抜くことができる。
【００４１】
ヒュージブルリンク側面接触部２２ｂは、リブ部下端係合部２２ａに連続し、且つ、ヒュージブルリンク１の側面に沿って形成される。ヒュージブルリンク側面接触部２２ｂは、リブ部下端係合部２２ａがリブ部下端１２ｃに係合する際、ヒュージブルリンク１の側面に接触するように形成される。このように形成することにより、係合爪部２２のリブ部１２に対する係合を確実に行うことができる。
【００４２】
テーパ部２２ｃは、先端部２０の端末に連続して設けられ、ヒュージブルリンク側面接触部２２ｂに行くにしたがって狭くなるように形成される。このように形成することにより、ヒューズプラー３をヒューズプラー収納部（図示せず）にスムーズに収納することができる。
【００４３】
リブ部側面接触部２３は、係合爪部２２に連続して形成される。リブ部側面接触部２３は、係合爪部２２の幅と同等若しくはこれより広い幅をもって形成される。リブ部側面接触部２３の高さは、リブ部１２の高さと同等若しくはこれより若干広い間隔をもって形成される。
【００４４】
ヒュージブルリンク上面接触部２４は、図５（ｄ）に示す如く、係合爪部２２に連続するリブ部側面接触部２３に連続して形成されるとともに、ヒュージブルリンク１の上面１ａに沿って形成される。ヒュージブルリンク上面接触部２４は、図５（ｅ）に示す如く、係合爪部２２の幅と同等若しくはこれより広い幅をもって形成される。ヒュージブルリンク上面接触部２４の係合爪部２２が突設される方向に対する距離は、図６（ｂ）に示す如く、ヒュージブルリンク１の上面１ａの中央までの範囲に伸ばすものとする。ヒュージブルリンク上面接触部２４は、係合爪部２２のリブ部下端係合部２２ａに対して平行に形成される。
【００４５】
持ち手部２１は、図５（ｃ）に示す如く、ヒュージブルリンク上面接触部２４に連続するとともに、係合爪部２２から離れる方向に伸びて形成される。持ち手部２１は、中央において、ヒューズプラー３の正面側と背面側とを緩やかな弧を描くように湾曲させ、且つ、側面が略く字形になるように形成される。図５（ｂ）に示す如く、持ち手部２１の幅は中央においてやや膨らみをもって形成され、且つ、先端部２０の方向に行くにしたがって幅が狭くなるように形成される。このように形成することにより、持ち手部２１を手で持ち易くなり、ヒュージブルリンク１をキャビティ２から引き抜く作業が安定する。持ち手部２１の正面側の表面には、複数の滑り止め凸部２６が突設される。このように形成することにより、持ち手部２１を確実に持つことができ、ヒュージブルリンク１をキャビティ２から引き抜く作業が安定する。
【００４６】
把持部２５は、持ち手部２１に連続し、ヒューズプラー３の上端の部分として形成される。把持部２５は、側面が逆Ｌ字形に形成される。把持部２５は、端末においてヒュージブルリンク上面接触部２４に対して平行な突起部２７が突設される。突起部２７は、ヒューズプラー３を手で持った際に滑り止めとなるように形成される。このように形成することにより、突起部２７が滑り止めとなり、ヒューズプラー３を確実に手で持つことができ、ヒュージブルリンク１をキャビティ２から引き抜く作業がより安定する。
【００４７】
次に、ヒューズプラー３を用いてキャビティ２からヒュージブルリンク１を引き抜く際の作用について説明する。
【００４８】
（１）ヒュージブルリンク上面接触部２４がヒュージブルリンク１の上面１ａに接している場合；
先ず、図１（ａ）に示す如く、ヒュージブルリンク１がキャビティ２に装着される状態において、キャビティ２の切り欠き部１７から露出されるヒュージブルリンク１のリブ部１２にヒューズプラー３の係合爪部２２を係合させる。図６（ｂ）に示す如く、ヒュージブルリンク上面接触部２４とヒュージブルリンク１の上面１ａとが接触する位置は、ヒュージブルリンク１の上面の中央付近であるものとする。そして、ヒューズプラー３の持ち手部２１を手で持ち、真上に引き上げる。
【００４９】
このヒュージブルリンク１の引き抜きの際に、ヒュージブルリンク１の片側のリブ部下端１２ｃには、係合爪部２２のリブ部下端係合部２２ａによって真上に対する力が加わるため、ヒュージブルリンク１には回転しようとする作用が働く。
【００５０】
しかしながら、ヒュージブルリンク上面接触部２４がヒュージブルリンク１の上面１ａに接触しているため、ヒュージブルリンク１の回転する作用に対して反作用が働く。従って、ヒュージブルリンク１の回転を抑え、真っ直ぐ引き抜くことができる。
【００５１】
（２）ヒュージブルリンク上面接触部２４とヒュージブルリンク１の上面１ａとの間に若干の隙間が存在する場合；
リブ部１２と係合爪部２２との係合及び引き上げまでの作業は上記（１）と同じであるため、説明を省略する。ヒューズプラー３を引き上げる際、ヒュージブルリンク上面接触部２４とヒュージブルリンク１の上面１ａとの間の隙間が若干の間隔が開いた程度のものであれば、ヒュージブルリンク１が若干回転しても  ヒュージブルリンク上面接触部２４とヒュージブルリンク１の上面１ａの外縁（例えばリブ部上端１２ａやフランジ部８の上端等）とが接触する。
【００５２】
そうすると、ヒュージブルリンク１の回転する作用に対して反作用が働く。従って、ヒュージブルリンク１を引き抜くことができる。
【００５３】
以上、図１乃至図６を参照しながら説明してきたように、本発明のヒューズプラー３によれば、従来よりも簡素な構造であることから、ヒューズプラー３の収納スペースを削減することができる。また、ボックスの設計効率を良好にすることができる。また、ヒューズ及びヒュージブルリンク１の引き抜き作業を安定させることができる。
【００５４】
この他、本発明は本発明の主旨を変えない範囲で種々変更実施可能なことは勿論である。
【符号の説明】
【００５５】
１…ヒュージブルリンク
１ａ…上面，１ｂ…正面 ，１ｃ…背面，１ｄ…左側面，１ｅ…右側面
２…キャビティ
２ａ…正面，２ｂ…背面，２ｃ…左側面，２ｄ…右側面
３…ヒューズプラー
４…ハウジング
５…カバー部材
６…ハウジング本体
７…開口部
８…フランジ部
９…係止凸部
１０…ヒュージブルリンク側ガイド凸部
１１…ヒュージブルリンク側ガイド凹部
１２…リブ部
１２ａ…リブ部上端，１２ｂ…リブ部側面，１２ｃ…リブ部下端
１３…テーパ部
１４…係止凹部
１５…上部開口部
１６…ヒュージブルリンク装着部
１６ａ…フランジ部嵌合部，１６ｂ…ハウジング本体嵌合部
１７…切り欠き部
１８…キャビティ側ガイド凸部
１９…キャビティ側ガイド凹部
２０…先端部
２１…持ち手部
２２…係合爪部
２２ａ…リブ部下端係合部，２２ｂ…ヒュージブルリンク側面接触部，２２ｃ…テーパ部
２３…リブ部側面接触部
２４…ヒュージブルリンク上面接触部
２５…把持部
２６…滑り止め凸部
２７…突起部
【図１】
2013031898.tif 000003
【図２】
2013031898.tif 000004
【図３】
2013031898.tif 000005
【図４】
2013031898.tif 000006
【図５】
2013031898.tif 000007
【図６】
2013031898.tif 000008